(57)【要約】【課題】コンピュータ本体の異常を外部に通知して表示することができると共に、ＵＰＳ装置の故障時に、ＵＰＳ装置をバイパスした電源供給により稼動可能な異常監視システムを提供すること。【解決手段】外部監視装置１３によりコンピュータ本体１１で生じる異常を、外部において確実に把握することができる。また、ＵＰＳ装置１７の故障時に、ＵＰＳ装置１７をバイパスして電源を供給した場合、その電源切換信号により起動阻止要因を排除することにより、コンピュータ本体を稼動させることが可能となった。【選択図】  図１
2004318373.tif 000002
【特許請求の範囲】
【請求項１】
コンピュータ本体の異常を検知して信号を生じる異常検知手段と、
この異常検知手段と信号ケーブルを介して接続され、この異常検知手段からの出力信号に応じて、出力信号に該当する異常状態を表示する表示手段を有する外部監視装置と、を備えたことを特徴とする異常監視システム。
【請求項２】
コンピュータ本体に電源を供給する無停電電源装置と、
この無停電電源装置が異常の場合、この無停電電源装置をバイパスしてコンピュータ本体に給電するバイパス給電用の電源切換手段と、
この電源切換手段および無停電電源装置と外部監視装置との間を接続する信号ケーブルとを加え、
前記無停電電源装置から故障信号が出力されると、前記外部監視装置は故障表示を行ない、コンピュータ本体はシステムの再起動を阻止し、
また、前記電源切換手段からバイパス給電への切換信号が出力されると前記外部監視装置は無停電電源装置からの故障信号を解除し、コンピュータ本体はシステム再起動に対する阻止要因を排除することを特徴とする請求項１に記載の異常監視システム。
【請求項３】
外部監視装置は、異常または故障要因を集約して表示する要因集約表示部と、異常または故障要因を個別に表示する個別要因表示部とを有することを特徴とする請求項１または請求項２に記載の異常監視システム。
【請求項４】
外部監視装置を、ラックマウント型にして薄く形成したことを特徴とする請求項１乃至３のいずれかに記載の異常監視システム。
【発明の詳細な説明】
【０００１】
【発明の属する技術分野】
本発明は、例えば、発電プラントの監視システムなどに用いられるコンピュータシステム自体の異常を監視し通知する異常監視システムに関する。
【０００２】
【従来の技術】
近年、例えば発電用プラントなど、各種プラントの監視システムとしてパソコンを用いたコンピュータシステムが適用されるようになってきた。このようにパソコンを監視システムに適用する場合、パソコンを２４時間稼動させることになり、パソコンを含むシステム状態を監視する仕組みが必要になる。その理由は、万一、故障が発生したにもかかわらず、何も把握できずに放置されると、システムの停止や、場合によっては機器に火災が発生したりして、プラント全体に影響を及ぼすことになる。
【０００３】
そこで、パソコン自体に備えられたＲＡＳ機能を用いてシステムの稼動状態を把握することが考えられ、提案もなされている（例えば、特許文献１参照）。パソコンに常備されているＲＡＳ機能は、パソコンの温度異常や電源異常などを通知するもので、システムに装備されている表示装置にて確認するか、ＲＡＳ基板に取付けてあるコネクタピンにより接点のオン・オフ信号を出力し通知する機能を備えている。
【０００４】
つまり、表示装置が使える故障であれば、オペレータからの要求により状態を見ることが可能であるが、故障の種類に限らず、これら異常状態を外部に通知しようとすると、何らかの仕組みが必要となる。
【０００５】
また、このようなコンピュータシステムの電源装置としては、無停電電源装置（以下、ＵＰＳ装置と呼ぶ）が用いられ、このＵＰＳ装置からの供給電源と、ＵＰＳ装置をバイパスした電源とのいずれかから、電源が供給される。ＵＰＳ装置は、安定したＡＣ１００ｖ電源を供給するために用いられる。これに対し、ＵＰＳ装置をバイパスした電源は、システム稼動の補償範囲から離脱する恐れがあるため、主に非常手段として用いられる。
【０００６】
このような設備環境において、ＵＰＳ装置が故障した場合、安定した供給電源が断たれることから、コンピュータシステムはＵＰＳ装置のバッテリ電源を使用して所定の停止制御を行なう。このようにしてコンピュータシステムを停止した後、どうしてもコンピュータシステムを稼動させたい場合は、故障したＵＰＳ装置をバイパスするブレーカを投入し、電源を供給することが考えられる。
【０００７】
しかし、コンピュータシステムに電源を供給しても、システム上はＵＰＳ装置故障と判断されているため、システムの再起動は阻止されており、システムは稼動しない。
【０００８】
【特許文献１】
特開２０００−７６０９８号公報
【０００９】
【発明が解決しようとする課題】
このように、従来のコンピュータシステムは、パソコンに常備されているＲＡＳ機能を用いて、異常を検出しても外部に通知するための仕組みがなく、その仕組みの提供が望まれていた。
【００１０】
また、ＵＰＳ装置が故障した場合、ＵＰＳ装置をバイパスした電源を供給しても、ＵＰＳ装置故障に伴い起動阻止状態となっていることから、コンピュータシステムを稼動することができなかった。
【００１１】
本発明の目的は、コンピュータ本体の異常を外部に通知して表示することができる異常監視システムを提供することにある。
【００１２】
また、本発明の他の目的は、ＵＰＳ装置の故障時に、ＵＰＳ装置をバイパスした電源供給により稼動させることが可能な異常監視システムを提供することにある。
【００１３】
【課題を解決するための手段】
本発明による異常監視システムは、コンピュータ本体の異常を検知して信号を生じる異常検知手段と、この異常検知手段と信号ケーブルを介して接続され、この異常検知手段からの出力信号に応じて、出力信号に該当する異常状態を表示する表示手段を有する外部監視装置とを備えたことを特徴とする。
【００１４】
また、本発明による異常監視システムは、コンピュータ本体に電源を供給する無停電電源装置と、この無停電電源装置が異常の場合、この無停電電源装置をバイパスしてコンピュータ本体に給電するバイパス給電用の電源切換手段と、この電源切換手段および無停電電源装置と外部監視装置との間を接続する信号ケーブルとを有し、前記無停電電源装置から故障信号が出力されると、前記外部監視装置は故障表示を行ない、コンピュータ本体はシステムの再起動を阻止し、また、前記電源切換手段からバイパス給電への切換信号が出力されると前記外部監視装置は無停電電源装置からの故障信号を解除し、コンピュータ本体はシステム再起動阻止要因を排除することを特徴とする。
【００１５】
また、本発明では、外部監視装置は、異常または故障要因を集約して表示する要因集約表示部と、異常または故障要因を個別に表示する個別要因表示部とを有してもよい。
【００１６】
さらに、本発明では、外部監視装置を、ラックマウント型にして薄く形成してもよい。
【００１７】
これらの発明では、外部監視装置によりコンピュータ本体で生じる異常を、外部において確実に把握することができる。
【００１８】
また、ＵＰＳ装置（無停電電源装置）の故障時に、ＵＰＳ装置をバイパスして給電した場合、その電源切換信号により再起動阻止要因を排除することにより、従来、稼動できなかったコンピュータ本体を稼動させることが可能となった。
【００１９】
【発明の実施の形態】
以下、本発明による異常監視システムの一実施の形態を、図面を参照して説明する。
【００２０】
図１はこの実施の形態の全体構成を示している。１１はコンピュータ本体で、ここではパソコンとして説明する。パソコン１１は、その内部に生じる異常を検知して信号を生じる異常検知手段としてＲＡＳ機能を有し、そのためのＲＡＳインターフェース基板（以下、ＲＡＳ基板と呼ぶ）１２を装着している。
【００２１】
１３は外部監視装置で、異常検知手段であるＲＡＳ基板１２と信号ケーブル１４を介して接続され、パソコン１１で生じた異常状態に対応する信号を受け、状態表示を行なう。信号ケーブル１４は両端にコネクタ１５を設けており、このコネクタ１５により接続誤りを防止している。
【００２２】
１７はＵＰＳ装置（無停電電源装置）で、パソコン１１や図示しないプリンタ、ディスク装置などに安定したＡＣ１００ｖの電源を供給する。このＵＰＳ装置１７は信号ケーブル１８を介して外部監視装置１３と接続しており、ＵＰＳ装置で生じる各種状態信号を外部監視装置１３に出力する。信号ケーブル１８は、そのＵＰＳ装置１７側の端部にコネクタ１９を設け、外部監視装置１３側は端子台取り合いとしている。
【００２３】
２０は分電盤で、複数のブレーカを有し、ＵＰＳ装置１７が異常の場合、このＵＰＳ装置１７をバイパスしてパソコン１１などに電源を供給する、いわゆるバイパス給電を行なうべく電源回路を切換える。すなわち、この分電盤２０は、電源切換手段を内蔵しており、この電源切換状態（バイパス給電状態）は、外部監視装置１３と接続された信号ケーブル２１により、外部監視装置１３に伝達される。
【００２４】
図２はパソコン１１に実装されているＲＡＳ基板１２の出力信号の内訳を、コネクタ１５に接続されるコネクタピン番号と対応させて示している。すなわち、故障要因として、「ＲＡＳ電源オフ信号」はコネクタピン１，２間の図示しない接点がオンされることにより信号ケーブル１４に出力される。以下、同様に「システム動作異常」はコネクタピン３，４間、「ＣＰＵオンライン」はコネクタピン５，６間、「ＣＰＵ  ＤＣ電源断」はコネクタピン７，８間、「軽故障」はコネクタピン９，１０間の図示しない接点がオン状態となることにより信号出力され、通知される。
【００２５】
図３は外部監視装置１３の前面を示しており、この前面には表示手段２５が設けられている。この表示手段２５は、表示要因毎に点灯表示される各色ＬＥＤにより構成されている。そして、この表示手段２５は、各信号ケーブル１４，１８，２１を介して入力されるＲＡＳ基板１２、ＵＰＳ装置１７、分電盤２０からの出力信号に応動し、該当する状態を色別表示する。
【００２６】
図４は外部監視装置１３の背面を示しており、信号ケーブル１４のコネクタ１５と嵌合接続するコネクタ２６、信号ケーブル１８と接続する端子台２７、信号ケーブル２１と接続する端子台２８、および、この外部監視装置１３の状態表示用電源（ＡＣ１００ｖ）に接続する電源線２９の端子台３０がそれぞれ設けられている。
【００２７】
図５は外部監視装置１３内に構成される表示制御用リレー回路を示している。
【００２８】
３２は直流電源回路で、端子台３０から入力されるＡＣ１００ｖをＤＣ２４ｖの制御電源に変換して電源線Ｐ、Ｎ間に出力する。以下、各リレーと対応する表示内容、点灯色との関係を表す表１を参照しながら、回路構成を説明する。
【００２９】
【表１】
2004318373.tif 000003
【００３０】
Ｒ１は電源正常検出リレーで、電源線Ｐ，Ｎ間に接続され、ＤＣ２４ｖの制御電源が確立することにより動作し、図３で示した「電源正常」表示ＬＥＤを緑色に点灯させる。
【００３１】
Ｒ２は軽故障検出リレー、Ｒ３はＣＰＵ断検出リレー、Ｒ４はオンライン信号入り検出リレー、Ｒ５はシステム動作異常検出リレー、Ｒ１１はＲＡＳ電源入り検出リレーで、これらは図２で示したＲＡＳ基板１２の各コネクタピン間の接点を介して電源線Ｐ，Ｎ間に接続しており、ＲＡＳ基板１２内の対応する接点がオン状態となることにより動作し、図３で示した対応する表示ＬＥＤを、表１で示す対応する色により点灯させる。
【００３２】
Ｒ６は重故障検出リレーで、ＣＰＵ電源断検出リレーのａ接点（動作時オン）Ｒ３−ａ、オンライン信号入り検出リレーのｂ接点（動作時オフ）Ｒ４−ｂ、システム動作異常検出リレーのａ接点Ｒ５−ａ、後述するＵＰＳ異常検出リレーＲ１０のａ接点Ｒ１０−ａをそれぞれ介して電源線Ｐ，Ｎ間に接続される。そしてこれら接点のいずれかがオン状態となることにより動作し、図３で示した「重故障」表示ＬＥＤを赤色点灯させる。
【００３３】
Ｒ７はＵＰＳ故障検出リレー、Ｒ８はＵＰＳ装置１７の入力電源正常検出リレー、Ｒ８はＵＰＳ装置バイパス検出リレーで、それらの一端は電源線Ｐに接続し、他端は、図３で示した端子２７および信号ケーブル１８を介してＵＰＳ装置１７の対応する状態表示用接点と接続した後、信号線Ｎに接続する。これらリレーＲ７，Ｒ８，Ｒ９は、ＵＰＳ装置１７で生じる状態変化に応じて、対応する接点がオン状態となることにより動作し、図３で示した該当する表示項目のＬＥＤを、表１で示した対応する表示色で点灯させる。
【００３４】
また、これらリレーＲ７，Ｒ８，Ｒ９の出力接点Ｒ７−ａ，Ｒ８−ｂ，Ｒ９−ａは、その一端が電源線Ｐに接続し、他端は図４で示した端子台２８及び、前述したＵＰＳ異常検出リレーＲ１０を介して電源線Ｎに接続している。端子台２８の端子ＴＢ２−１，ＴＢ２−２間は、図３で示した信号線２１により分電盤２０に達し、後述する電源切換接点と接続する。したがって、ＵＰＳ異常検出リレーＲ１０は、出力接点Ｒ７−ａ，Ｒ８−ｂ，Ｒ９−ａのいずれかがオン状態で、分電盤２０の電源切換接点がオンであることを条件に動作し、その出力接点Ｒ１０−ａをオンにすると共に、図３で示した「ＵＰＳ異常」表示ＬＥＤを赤色点灯させる。
【００３５】
図６は分電盤２０内における電源回路及び電源切換手段を示している。ＭＣＣＢ１は電源一次ブレーカで、ＵＰＳ装置１７の入力端子に接続され、オン状態において商用のＡＣ１００ｖ電源をＵＰＳ装置に供給する。ＭＣＣＢ２は電源二次ブレーカで、一端はＵＰＳ装置１７の出力端子に接続し、他端は複数のブレーカＭＣＣＢ４，ＭＣＣＢ５，ＭＣＣＢ６とそれぞれ接続している。そして、オン状態において、これらブレーカＭＣＣＢ４，ＭＣＣＢ５，ＭＣＣＢ６を介して、パソコン本体１１や図示しないプリンタ、ディスク装置に、ＵＰＳ装置１７から出力される安定したＡＣ１００ｖ電源を供給する。
【００３６】
ＭＣＣＢ３はバイパス給電用のブレーカで、一端は電源一次ブレーカＭＣＣＢ１の電源側に接続し、他端は電源二次ブレーカＭＣＣＢ２の負荷側に接続しており、オン状態において、ＵＰＳ装置１７をバイパスして負荷側に給電を行なう。このバイパス給電用ブレーカＭＣＣＢ３は、電源二次ブレーカＭＣＣＢ２と機械的に連結しており、ＭＣＣＢ２がオンのときは投入できず、ＭＣＣＢ２がオフのときのみ投入できるように構成されている。すなわち、ＭＣＣＢ２とＭＣＣＢ３は、ＵＰＳ装置１７による給電とバイパス給電とを切換える電源切換手段３１として機能する。
【００３７】
ＭＣＣ３−ｂは電源切換状態接点で、ＭＣＣＢ３の主接点とオン・オフ状態が反転するように構成されている。すなわち、ＭＣＣＢ３がオフのとき（ＭＣＣＢ２がオンでＵＰＳ装置１７による給電時）オンとなり、ＭＣＣＢ３がオンのとき（ＭＣＣＢ２がオフでバイパス給電が行なわれているとき）にオフとなる。この電源切換状態接点ＭＣＣＢ３−ｂは図４及び図５で示した端子台２８の端子ＴＢ２−１，ＴＢ２−２間に接続される。
【００３８】
次に、動作説明を行なう。
【００３９】
始に、パソコン１１及びＵＰＳ装置１７が共に正常の場合についてみる。この場合、パソコン１１に関しては、図２で示したＲＡＳ基板１２のコネクタピン５，６間の「ＣＰＵオンライン」の接点はオン状態を維持し、コネクタピン１，２間の「ＲＡＳ電源オフ」の接点は、電源オンに伴いオン動作する。このため、図５で示したＲ４は動作状態を維持し、その出力接点Ｒ４−ｂのオフ状態を維持すると共に、図３で示した外部監視装置１３の「オンライン信号入」表示ＬＥＤを緑色点灯させる。また、リレーＲ１１は動作状態となり、図３の「ＲＡＳ電源入」表示ＬＥＤを緑色点灯させる。
【００４０】
ＵＰＳ装置１７に関しては、その入力電源が正常であるため端子台２７の端子ＴＢ１−３，ＴＢ１−４間を介してリレーＲ８が動作し、その出力接点Ｒ８−ｂをオフさせると共に、図３で示した「ＵＰＳ電源正常」表示ＬＥＤを緑色点灯させる。
【００４１】
更に、外部監視装置１３の制御電源Ｐ，Ｎが正常であることからリレーＲ１は動作状態を維持し、図３の「電源正常」表示ＬＥＤを緑色点灯させる。
【００４２】
次に、パソコン１１に軽故障が生じた場合を説明する。この場合、図２で示したＲＡＳ基板１２のコネクタピン９，１０間の接点がオンになるため、図５で示したリレーＲ２が動作し、図３で示した外部監視装置１３の「軽故障」表示ＬＥＤを赤色点灯させ、軽故障発生を外部監視装置１３上に表示する。
【００４３】
次に、パソコン１１に、オンライン信号が入力されなかったり、システム動作異常などの重故障が発生した場合を説明する。この場合、図２におけるＲＡＳ基板１２のコネクタピン５、６間の接点がオフとなり、或いはコネクタピン３，４間の接点がオンになる。このため、リレーＲ４を不動作状態にして、その出力接点Ｒ４−ｂをオン状態に復帰させるか、或いはリレーＲ５を動作させてその出力接点Ｒ５−ａをオン動作させる。
【００４４】
これらの結果、重故障検出リレーＲ６が動作し、パソコン１１は所定の手順で停止制御されると共に、その再起動がシステム的に阻止される。また、図３で示した外部監視装置１３の「重故障」表示ＬＥＤを赤色点灯させ、重故障発生を外部監視装置１３上に表示する。同時にリレーＲ４が不動作状態となったことから、図３の「オンライン信号入」表示ＬＥＤを消灯させ、或いはリレーＲ５の動作によりに図３の「システム動作異常」表示ＬＥＤを赤色点灯させて、重故障の発生要因を外部監視装置１３上に個別表示する。
【００４５】
次に、ＵＰＳ装置１７が故障し、パソコン１１の電源が断となった場合を説明する。この場合、パソコン１１側では、図２で示したＲＡＳ基板１２のコネクタピン７，８間の接点がオンとなり、図５のリレーＲ３を動作させ、その出力接点Ｒ３−ａをオン動作させて、重故障検出リレーＲ６を動作させる。このため、図３の「重故障」表示ＬＥＤ及び「ＣＰＵ電源断」表示ＬＥＤが赤色点灯し、外部監視装置１３上に、重故障発生とその要因であるＣＰＵ電源断を表示する。
【００４６】
このときパソコン１１は、ＵＰＳ装置１７のバッテリ電源を用いてシステムを停止操作する。また、システム的には重故障となっているため、以後の再起動は阻止される。
【００４７】
一方、ＵＰＳ装置１７では、図５で示したＵＰＳ故障接点がオン動作し、端子台２７の端子ＴＢ１−１，ＴＢ１−２間から外部監視装置１３に信号が入力され、ＵＰＳ故障検出リレーＲ７を動作させる。このため、リレー接点Ｒ７−ａをオン状態にすると共に、図３で示した「ＵＰＳ故障」表示ＬＥＤを赤色点灯させ、外部監視装置１３にＵＰＳ故障を表示させる。
【００４８】
このＵＰＳ装置１７の故障が発生した当初では、分電盤２０のバイパス給電用ブレーカＭＣＣＢ３は、まだ投入されていず、オフ状態であるため、電源切換状態接点ＭＣＣ３−ｂはオン状態のままである。このため、図５で示した端子台２８の端子ＴＢ２−１，ＴＢ２−２に間は、オン状態の電源切換状態接点ＭＣＣＢ３−ｂを介して導通しており、前記リレー接点Ｒ７−ａがオンになったことにより、ＵＰＳ異常検出リレーＲ１０が動作する。この動作により、その出力接点Ｒ１０−ａをオンさせ、重故障検出リレーＲ６の動作状態を維持すると共に、図３で示した「ＵＰＳ異常」表示ＬＥＤを赤色点灯させ、外部監視装置１３にＵＰＳ異常を表示させる。
【００４９】
ここで、図３で示した外部監視装置１３の表示手段２５には、「重故障」表示のように故障要因を集約して表示する要因集約表示部と、集約表示された故障の要因、例えば、上述した「重故障」の要因「ＣＰＵ電源断」「システム動作異常」「ＵＰＳ異常」などを個別に表示する個別要因表示部とを有する。したがって、重故障発生時、どの要因で重故障になったかが明確になり、速やかな処置を行なうことができる。
【００５０】
なお、この外部監視装置１３は、ラックマウント型にして薄く形成するとよい。
【００５１】
次に、ＵＰＳ装置１７が故障し、上述のようにパソコン１１を停止操作した場合において、ＵＰＳ装置の故障復旧を待てずにどうしてもパソコンを稼動させたい場合を説明する。この場合は、ＵＰＳ装置１７が故障しているので、故障したＵＰＳ装置１７をバイパスしてパソコン１１に給電する、いわゆるバイパス給電を行う。すなわち、バイパス給電用ブレーカＭＣＣＢ３をオン操作し、このブレーカＭＣＣＢ３により商用のＡＣ１００ｖ電源を、パソコン１１やプリンタ、ディスク装置などに供給する。
【００５２】
このとき、パソコン１１側では、重故障で停止操作されたため、プログラム上起動できない仕組みとなっており、単に、電源が供給されただけでは起動されない。しかし、バイパス給電用ＭＣＣＢ３がオン操作されると、これに連動して電源切換状態接点ＭＣＣＢ３−ｂがオフ状態となり、図５における端子台２８の端子ＴＢ２−１，ＴＢ２−２間がオープンになって、ＵＰＳ異常検出リレーＲ１０を不動作状態に復帰させる。このため、リレー接点Ｒ１０−ａはオフ状態に復帰し、さらに、ＣＰＵ電源断検出リレー接点Ｒ３−ａもオフ状態に復帰することから重故障検出リレーＲ６が不動作状態に復帰する。この結果、パソコン１１における重故障要因が排除されるので、パソコン１１を問題なく起動し、稼動状態とすることができる。
【００５３】
このように、ＵＰＳ装置１１の故障時において、バイパス給電時における従来困難であったにパソコン１１の起動が可能となり、パソコンを直ちに稼動状態とすることができる。
【００５４】
なお、上記実施の形態では図４の回路構成を接点回路で説明したが、同様の機能を電子回路によって構成してももちろんかまわない。
【００５５】
【発明の効果】
本発明によると、コンピュータ本体の異常を検出して、これを外部の監視装置に通知して表示するので、外部においてコンピュータ本体の異常を確実に把握することができる。
【００５６】
また、ＵＰＳ装置の故障時に、コンピュータ本体を停止操作させた後、ＵＰＳ装置の復旧を待たずにＵＰＳ装置をバイパスした電源供給を行なっても、コンピュータ本体の重故障要因を排除することにより、コンピュータ本体の起動が可能となり、稼動状態とすることができる。
【図面の簡単な説明】
【図１】本発明による異常監視システムの一実施の形態を示す全体構成図である。
【図２】同上一実施の形態におけるＲＡＳ基板の故障出力名称とコネクタピンとの関係を示す図である。
【図３】同上一実施の形態における外部監視装置の前面構成を示す正面図である。
【図４】同上一実施の形態における外部監視装置の背面構成を示す正面図である。
【図５】同上一実施の形態における外部監視装置の回路構成を示す制御回路図である。
【図６】同上一実施の形態における分電盤内の電源回路構成を示す回路図である。
【符号の説明】
１１    コンピュータ本体
１２    異常検知手段
１３    外部監視装置
１４，１８，２１    信号ケーブル
１７    無停電電源装置（ＵＰＳ装置）
２０    電源切換手段を有する分電盤
３１    電源切換手段
【図１】
2004318373.tif 000004
【図２】
2004318373.tif 000005
【図３】
2004318373.tif 000006
【図４】
2004318373.tif 000007
【図５】
2004318373.tif 000008
【図６】
2004318373.tif 000009